【事件の表示】
　特許第２８５９３８８号「撮影レンズ」の請求項１，請求項３及び請求項４に係る特許に対する特許異議の申立てについて、次のとおり決定する。
【結　論】
　訂正を認める。
　特許第２８５９３８８号の請求項２、３に係る特許を維持する。
【理　由】
【1】手続の経緯
　特許第2859388号の請求項1〜5に係る発明は、平成2年7月6日の出願であって、平成10年12月4日にその設定登録がなされ、その後、申立人 キヤノン株式会社より特許異議申立がなされ、取消理由通知がなされ、その指定期間内である平成11年12月28日に訂正請求がなされたものである。
　
【2】訂正の適否についての判断
《2-1》訂正後の発明
　訂正後の請求項1〜4に係る発明は、訂正明細書の特許請求の範囲の請求項1〜4に記載された次のとおりのものである。
　「(1)撮影条件が変化しても変化しない固定レンズデータと、撮影条件の変化に応じて変化する可変レンズデータとを複数の撮影条件に応じてメモリするメモリ手段を備えた撮影レンズにおいて、
　上記撮影条件に応じた可変レンズデータを、複数の撮影条件に対応した可変データメモリエリアにメモリし、上記複数の撮影条件に共通する固定レンズデータは、上記可変データメモリエリアとは別の固定データメモリエリアにメモリし、
　さらに、 上記撮影条件を検出する撮影条件出手段と、
　この撮影条件検出手段が検出した撮影条件に応じた上記可変レンズデータと上記固定データとを読み出す読み出し手段と、を備えたことを特徴とする撮影レンズ。」(以下、「本件発明1」という。)
　「(2)請求項1に記載の撮影レンズはズームレンズであり、上記撮影条件は焦点距離であって、該ズームレンズの可変焦点距離が複数の焦点距離ゾーンに分割され、該各分割された各焦点距離ゾーンにおいて同一のレンズデータが上記固定レンズデータとして、他のレンズデータが上記可変レンズデータとしてそれぞれ上記メモリ手段の所定のエリアにメモリされていることを特徴とする撮影レンズ。」(以下、「本件発明2」という。)
　「(3)請求項1において、上記撮影条件は撮影距離であって、該撮影距離が複数のゾーンに分割され、該分割された各撮影距離ゾーンにおいて同一のレンズデータが上記固定レンズデータとして、他のレンズデータが上記可変レンズデータとしてそれぞれ上記メモリ手段の所定のエリアにメモリされていることを特徴とする撮影レンズ。」(以下、「本件発明3」という。)
　「(4)撮影条件が変化しても変化しない固定レンズデータと、撮影条件の変化に応じて変化する可変レンズデータを複数の撮影条件に応じてメモリするメモリ手段を備えた撮影レンズにおいて、
　上記メモリ手段としてROMを備え、このROMは、一の撮影条件における複数のレンズ特性に関するレンズデータがそれぞれ特定のアドレスにメモリされた固定レンズデータメモリエリアと、他の可変レンズデータがそれぞれ特定のアドレスにメモリされた可変データメモリエリアとを備え、
　上記固定レンズデータは、上記ROMの固定データメモリエリアの対応するアドレスにそれぞれメモリされ、上記他の可変レンズデータは、上記ROMの可変データメモリエリアの対応するアドレスにそれぞれメモリされ、
　さらに、上記ROMの固定データメモリエリアの空きアドレスには、上記撮影条件に応じた対応する可変レンズデータのメモリアドレスを特定するデータがメモリされていることを特徴とする撮影レンズ。」(以下、「本件発明4」という。)
　
《2-2》訂正の要旨
　特許権者が求めている訂正の内容は以下のA〜Bのとおりである。
　
訂正事項A:
　請求項1を削除し、請求項1を引用する請求項2を独立項形式に訂正し、請求項1を引用する請求項3、4を、独立項形式に訂正した請求項2を引用する形式に訂正し、請求項1を引用する請求項5を独立項形式に訂正する。
　すなわち、原特許明細書の特許請求の範囲の記載、
　『(1)撮影条件が変化しても変化しない固定レンズデータと、撮影条件の変化
に応じて変化する可変レンズデータとを含むレンズデータを、複数の撮影条件に
応じてメモリするメモリ手段を備えた撮影レンズにおいて、
　上記撮影条件に応じた可変レンズデータを、複数の撮影条件に対応した可変データメモリエリアにメモリし、上記複数の撮影条件に共通する固定レンズデータは、上記メモリエリアとは別の固定データメモリエリアにメモリしたことを特徴とする撮影レンズ。
　(2)請求項1に記載の撮影レンズはさらに、上記撮影条件を検出する撮影条件検出手段と、
　この撮影条件検出手段が検出した撮影条件に応じた上記固定レンズデータおよび可変レンズデータを読出す読出手段とを備えていることを特徴とする撮影レンズ。
　(3)請求項1に記載の撮影レンズはズームレンズであり、上記撮影条件は焦点距離であって、該ズームレンズの可変焦点距離が複数の焦点距離ゾーンに分割され、該各分割された各焦点距離ゾーンにおいて同一のレンズデータが上記固定レンズデータとして、他のレンズデータが上記可変レンズデータとしてそれぞれ上記メモリ手段の所定のエリアにメモリされていることを特徴とする撮影レンズ。
　(4)請求項1において、上記撮影条件は撮影距離であって、該撮影距離が複数のゾーンに分割され、該分割された各撮影距離ゾーンにおいて同一のレンズデータが上記固定レンズデータとして、他のレンズデータが上記可変レンズデータとしてそれぞれ上記メモリ手段の所定のエリアにメモリされていることを特徴とする撮影レンズ。
　(5)請求項1において、上記メモリ手段はROMであって、このROMは、一の撮影条件における複数のレンズ特性に関するレンズデータがそれぞれ特定のアドレスにメモリ可能な固定レンズデータメモリエリアと、他の可変レンズデータがそれぞれ特定のアドレスにメモリされた可変データメモリエリアとを備え、
　上記固定レンズデータは、上記固定データメモリエリアの対応するアドレスにそれぞれメモリされ、上記他の可変レンズデータは、上記可変データメモリエリアの対応するアドレスにそれぞれメモリされ、
　さらに、上記固定データメモリエリアの空きアドレスには、上記撮影条件に応じた対応する可変レンズデータのメモリアドレスを特定するデータがメモリされていることを特徴とする撮影レンズ。』
を、
　『(1)撮影条件が変化しても変化しない固定レンズデータと、撮影条件の変化に応じて変化する可変レンズデータとを複数の撮影条件に応じてメモリするメモリ手段を備えた撮影レンズにおいて、
　上記撮影条件に応じた可変レンズデータを、複数の撮影条件に対応した可変データメモリエリアにメモリし、上記複数の撮影条件に共通する固定レンズデータは、上記可変データメモリエリアとは別の固定データメモリエリアにメモリし、
　さらに、上記撮影条件を検出する撮影条件出手段と、
　この撮影条件検出手段が検出した撮影条件に応じた上記可変レンズデータと上記固定データとを読み出す読み出し手段と、を備えたことを特徴とする撮影レンズ。
　(2)請求項1に記載の撮影レンズはズームレンズであり、上記撮影条件は焦点距離であって、該ズームレンズの可変焦点距離が複数の焦点距離ゾーンに分割され、該各分割された各焦点距離ゾーンにおいて同一のレンズデータが上記固定レンズデータとして、他のレンズデータが上記可変レンズデータとしてそれぞれ上記メモリ手段の所定のエリアにメモリされていることを特徴とする撮影レンズ。
　(3)請求項1において、上記撮影条件は撮影距離であって、該撮影距離が複数のゾーンに分割され、該分割された各撮影距離ゾーンにおいて同一のレンズデータが上記固定レンズデータとして、他のレンズデータが上記可変レンズデータとしてそれぞれ上記メモリ手段の所定のエリアにメモリされていることを特徴とする撮影レンズ。
　(4)撮影条件が変化しても変化しない固定レンズデータと、撮影条件の変化に応じて変化する可変レンズデータを複数の撮影条件に応じてメモリするメモリ手段を備えた撮影レンズにおいて、
　上記メモリ手段としてROMを備え、このROMは、一の撮影条件における複数のレンズ特性に関するレンズデータがそれぞれ特定のアドレスにメモリされた固定レンズデータメモリエリアと、他の可変レンズデータがそれぞれ特定のアドレスにメモリされた可変データメモリエリアとを備え、
　上記固定レンズデータは、上記ROMの固定データメモリエリアの対応するアドレスにそれぞれメモリされ、上記他の可変レンズデータは、上記ROMの可変データメモリエリアの対応するアドレスにそれぞれメモリされ、
　さらに、上記ROMの固定データメモリエリアの空きアドレスには、上記撮影条件に応じた対応する可変レンズデータのメモリアドレスを特定するデータがメモリされていることを特徴とする撮影レンズ。』
と訂正する。
　
訂正事項B:
　同明細書第6頁第14行乃至第7頁第6行の記載、
　『本発明は、レンズデータの中には、撮影距離あるいは焦点距離が変わっても変化しないものがあることに着目してなされたもので、撮影条件が変化しても変化しない固定レンズデータと、撮影条件の変化に応じて変化する可変レンズデータとを含むレンズデータを、複数の撮影条件に応じてメモリするメモリ手段を備えた撮影レンズにおいて、上記撮影条件に応じた可変レンズデータを、複数の撮影条件に対応した可変データメモリエリアにメモリし、上記複数の撮影条件に共通する固定レンズデータは、上記メモリエリアとは別の固定データメモリエリアにメモリしたことに特徴を有する。』
を、
　『本発明は、レンズデータの中には、撮影距離あるいは焦点距離が変わっても変化しないものがあることに着目してなされたもので、撮影条件が変化しても変化しない固定レンズデータと、撮影条件の変化に応じて変化する可変レンズデータを、複数の撮影条件に応じてメモリするメモリ手段を備えた撮影レンズにおいて、上記撮影条件に応じた可変レンズデータを、複数の撮影条件に対応した可変データメモリエリアにメモリし、上記複数の撮影条件に共通する固定レンズデータは、上記可変データメモリエリアとは別の固定データメモリエリアにメモリし、さらに、上記撮影条件を検出する撮影条件出手段と、この撮影条件検出手段が検出した撮影条件に応じた上記可変レンズデータと上記固定データとを読み出す読み出し手段とを備えたことに特徴を有する。』
と訂正する。
　
《2-3》訂正の目的の適否、新規事項の有無及び拡張・変更の存否
　上記訂正事項Aは、特許請求の範囲の減縮を目的とするものであり、上記訂正事項Bは、明りょうでない記載の釈明を目的とするものである。 また、これらは、願書に添付した明細書及び図面に記載した事項の範囲内の訂正であり、実質上特許請求の範囲を拡張し又は変更するものでもない。
　
《2-4》独立特許要件の判断
《2-4-1》刊行物
　当審が発した取消理由通知書において引用した刊行物は以下のとおりである。
刊行物1:  特開昭58‐169135号公報 (甲第1号証)
[記載事項1] (第3頁上段右欄第12行~下段左欄第2行)
　「第1図はこの発明を実施するためにズームレンズ等のカメラアクセサリーからの情報を読み取るカメラ本体側の回路図であり、第2図は該カメラ本体に装着されるレンズアクセサリー内の情報を出力する回路図、第3図は同じくカメラ本体に装着されるレンズアクセサリー内の情報を出力する回路図である。尚、以下の説明では、カメラアクセサリー(以下、単にアクセサリーと称する)を交換レンズとレンズアダプタとに大別しており、交換レンズとは焦点距離が可変なズームレンズと固定の一般レンズとの総称であり、」との記載がある。
[記載事項2] (第3頁下段左欄第20行~第4頁下段左欄第11行)
　第1図のカメラ本体において、側光スイッチS1が閉成されることによってDフリップ・フロップDF1、フリップ・フロップFF1などが動作し、アンド回路AN40の出力がハイレベルとなって、読み込み動作を開始する読み込み開始信号(start)としてカメラ本体内部及びカメラアクセサリーに送られること、この読み込み開始信号によりアンド回路AN2 が開かれて、カウンタCO1、CO2のリセット状態が解除され、デコーダDE1が出力可能な状態になること、カウンタCO1はクロックバルスCPをカウントし、このカウント値に応じてデコーダDE1は表1(第4頁)に示されるように出力端子TB0~TB7のうちの1つをハイレベルにすること、カメラ本体の端子JB1~JB5 は第3図の交換レンズの端子JL1~JL5 に接続され、電源ライン+Eからの給電、クロックバルスCPの出力、読み込み開始信号の出力、アース接続及び交換レンズからのデータの入力をそれぞれ可能にしていること、第3図の交換レンズにおいて、端子JL3 から読み込み開始信号が入力すると、カウンタC05,C06,C07のリセット状態が解除され、デコーダDE4とROM(R02 )が出力可能な状態になること、カウンタC05 及びデコーダDE4 は第1図のカウンタCO1及びデコーダDE1と同様の構成となっていて、デコーダDE4 の出力端子TL0~TL7 からはデコーダDE1の出力端子TB0~TB7 とそれぞれ同じタイミングでパルスが出力され、カメラ本体と交換レンズとの同期がとられることが説明されている。
[記載事項3] (第5頁下段左欄第1行~第9頁上段左欄弟第16行、表2-1、表2-2、表3)
　表2-1(第4頁),表2-2(第5頁)はカメラアクセサリーの種々のデータが記憶されるROMにおけるアドレスと種々のデータとの関係を示し、表3(第5頁)はコード化されたデータと該データの内容との関係を示すものであること、表3に示されるように、撮影距離については0.5mから∞までが32のゾーンに分割されてこれらのゾーンにそれぞれデータコードが割り振られており、焦点距離については8mm以下から1000mm以下までが31のゾーンに分割されてこれらのゾーンと焦点距離固定にそれぞれデータコードが割り振られていること、カメラ本体から読み込み開始信号が送り出されると、まず、第2図のレンズアダプタのROM(RO1)からデータが読み出されること、次に、第3図の交換レンズからのデータ読み出しに移行すること(なお、カメラ本体に第2図のレンズアダプタが接続されておらず、第3図の交換レンズがカメラ本体に接続されている時は、以下に説明するレンズデータのみが読み出されることはいうまでもない)、この時点で第3図のカウンタC06 の出力は「010」であり、アンド回路AN25の出力はハイレベルとなり、ワンショット回路OS6 、フリップ・フロップFF4 及びDフリップ・フロップDF5 の動作によりスイッチ回路AS2 が導通して、交換レンズのデータを端子JL5 からカメラ本体の端子JB5 へ送出することが可能な状態となること、次の端子TL1からのパルスによりカウンタC06 の出力が「011」となると、この3ビットの出力がマルチプレクサMP2 のβ1入力の下位3ビットに与えられ、マルチプレクサMP2 はβ1からのアドレス「0000011」を出力し、ROM(R02 )は表2-1に示されるようにレンズチェック用のデータ「11100」を出力すること、このデータはカメラ本体に送られ、第1図のレジスタREG4 に読み込まれること、このデータ「11100」は交換レンズが装着されていることを意味すること、端子TL1がハイレベルに立ち上がる毎に、カウンタC06 の出力は「100」、「101」、「110」、「111」となって、マルチプレクサMP2からはアドレス「0000100」、「0000101」、「0000110」、「0000111」が順次出力され、ROM(R02 )のこれらのアドレスには、表2-1に示されるように、交換レンズの開放絞り値Avo、最小絞り値Avmax、Wide側の焦点距離、Tele側の焦点距離のデータが記憶されており(これらのデータは、撮影距離や焦点距離などの撮影条件が変化しても変化しない交換レンズ固有の固定レンズデータであることは自明である)、これらのアドレスに記憶されているデータは順次ROM(R02 )から出力され、カメラ本体に送られて、第1図のレジスタREG5 ,REG6 ,REG7 ,REG8に読み込まれること、第3図において、カウンタC06 の出力が「111」になると、アンド回路AN26の出力がハイレベルとなり、これに応じてマルチプレクサMP2 からはβ2入力のデータが出力されるようになり、カウンタC07 の出力は「001」となって、マルチプレクサMP2 からは上位3ビットとして「001」が、下位4ビットとしてブロック10からα1に入力されているデータが、それぞれアドレスとして出力されること、このブロック10は、交換レンズの距離調整部材としての距離リングの∞位置からのズレ量(移動量)に対応したアドレスを出力すること、つまり、マルチプレクサMP2 からは「0010000」~「0011111」のうちの1つのアドレスが出力され、ROM(R02 )からはそのアドレスに記憶されているデータが出力される(アドレス「0010000」~「0011111」の領域は、表2-1に示されるように、交換レンズの距離調整部材の∞位置からのズレ量(移動量)に応じた撮影距離のデータが記憶されている領域であって、この撮影距離のデータが被写体距離という撮影条件の変化に応じて変化する可変レンズデータであることは自明である)こと、このデータはカメラ本体に送られ、第1図のレジスタREG9 に読み込まれること、次に、カウンタC07 の出力が「010」になると、マルチプレクサMP2 からは上位3ビットとして「010」が、下位4ビットとしてブロック11からα2 に入力されているデータが、それぞれアドレスとして出力され、交換レンズの絞り設定部材としての絞りリングの開放絞り位置からの絞り込み段数に対応したアドレスを出力する(つまり、マルチブレクサMP2からは「0100000」~「0101111」のうちの1つのアドレスが出力され、ROM(R02 )からはそのアドレスに記憶されているデータが出力される)こと、アドレス「0100000」~「0101111」の領域は、表2‐1に示されるように、交換レンズの絞りリングの開放絞り値からの絞り込み段数に応じた絞り値のデータが記憶されている領域である(この絞り値のデータが被写体輝度という撮影条件の変化に応じて変化する可変レンズデータであることは自明である)こと、このデータはカメラ本体に送られ、第1図のレジスタREG10に読み込まれること、次に、カウンタC07 の出力が「011」になると、マルチプレクサMP2 からは上位3ビットとして「011」が、下位4ビットとしてブロック12からα3 に入力されているデータが、それぞれアドレスとして出力され、ズームレンズの焦点距離調整部材のWide側の焦点距離位置からのズレ量に対応したアドレスを出力する(つまり、マルチプレクサMP2 からは「0110000」~「0111111」のうちの1つのアドレスが出力され、ROM(R02 )からはそのアドレスに記憶されているデータが出力される)こと、アドレス「0110000」~「01l1111」の領域は、表2-2に示されるように、焦点距離調整部材の位置に応じた設定焦点距離のデータが記憶されている領域である(この設定焦点距離のデータが焦点距離という撮影条件の変化に応じて変化する可変レンズデータであることは自明である)こと、このデータはカメラ本体に送られ、第1図のレジスタREG11に読み込まれること、次に、カウンタC07 の出力が「100」になると、マルチプレクサMP2 からは上位3ビットとして「100」が、下位4ビットとしてブロック12から同じくα3 に入力されているデータが、それぞれアドレスとして出力され、マルチプレクサMP2 からは「1000000」~「1001111」のうちの1つのアドレスが出力され、ROM(R02 )からはそのアドレスに記憶されているデータが出力される(アドレス「1000000」~「1001111」の領域は、表2-2に示されるように、ズームレンズの焦点距離が変化することによる絞り誤差量のデータ△Av が記憶されている領域であり、この絞り誤差量のデータが焦点距離という撮影条件の変化に応じて変化する可変レンズデータであることは自明である)こと、このデータはカメラ本体に送られ、第1図のレジスタREG12に読み込まれること、次に、カウンタC07 の出力が「101」になると、マルチブレクサMP2 からは上位3ビットとして「101」が、下位4ビットとしてブロック12から同じくα3 に入力されているデータが、それぞれアドレスとして出力され、マルチブレクサMP2 からは「1010000」~「1011111」のうちの1つのアドレスが出力され、ROM(R02 )からはそのアドレスに記憶されているデータが出力される(アドレス「1010000」~「1011111」の領域は、表2-2に示されるように、ズームレンズの設定焦点距離fがWide側の最短焦点距離fmin からTele側の最長焦点距離fmaxまでの範囲のうちどの程度の値になっているかを示す長焦点側比のデータが記憶されている領域であり、この長焦点側比のデータが焦点距離という撮影条件の変化に応じて変化する可変レンズデータであることは自明である)ことが説明されている。
　
　以上の記載事項からみて、刊行物1には、「撮影条件が変化しても変化しない固定レンズデータと、撮影条件の変化に応じて変化する可変レンズデータとを複数の撮影条件に応じてメモリするメモリ手段を備え、上記撮影条件に応じた可変レンズデータを、複数の撮影条件に対応した可変データメモリエリアにメモリし、上記複数の撮影条件に共通する固定レンズデータは、上記可変データメモリエリアとは別の固定データメモリエリアにメモリし、上記可変レンズデータと上記固定データとを読み出す読み出し手段と、を備えたことを特徴とする撮影レンズであって、上記撮影条件は焦点距離や撮影距離であって、該ズームレンズの可変焦点距離が複数の焦点距離ゾーンに分割され、撮影距離が複数のゾーンに分割され、複数の該各分割されたゾーンにおいて同一のレンズデータがそれぞれ上記メモリ手段の所定のエリアにメモリされている」発明が記載されている。
　
《2-4-2》対比・判断
[本件発明1]
　本件発明1は、訂正前の請求項2に係る発明を単に独立形式の表現に改めたものであるため、特許請求の範囲の減縮を目的とする訂正ではなく、独立特許要件は課されない。
　
[本件発明2]
　本件発明2と刊行物1に記載された発明とを対比すると、
　「撮影条件が変化しても変化しない固定レンズデータと、撮影条件の変化に応じて変化する可変レンズデータとを複数の撮影条件に応じてメモリするメモリ手段を備えた撮影レンズにおいて、上記撮影条件に応じた可変レンズデータを、複数の撮影条件に対応した可変データメモリエリアにメモリし、上記複数の撮影条件に共通する固定レンズデータは、上記可変データメモリエリアとは別の固定データメモリエリアにメモリし、さらに、上記撮影条件を検出する撮影条件出手段と、この撮影条件検出手段が検出した撮影条件に応じた上記可変レンズデータと上記固定データとを読み出す読み出し手段と、を備えたことを特徴とする撮影レンズであって、
　撮影レンズはズームレンズであり、上記撮影条件は焦点距離であって、該ズームレンズの可変焦点距離が複数の焦点距離ゾーンに分割され、該各分割された各焦点距離ゾーンにおいて同一のレンズデータが上記固定レンズデータとして、他のレンズデータが上記可変レンズデータとしてそれぞれ上記メモリ手段の所定のエリアにメモリされていることを特徴とする撮影レンズ。」
の点で一致し、本件発明2は、撮影条件を検出する撮影条件出手段と、この撮影条件検出手段が検出した撮影条件に応じたデータを読み出すのに対して、刊行物1に記載された発明では、この点が明示されていない点で相違する。
　そこで、上記相違点を検討するに、刊行物1には、メモリからデータを読み出すに当たって、撮影条件を検出する撮影条件出手段と、この撮影条件検出手段が検出した撮影条件に応じたデータを読み出すことは記載されておらず、かつ、刊行物1の記載から当業者が容易に想到できる事項でもない。
　従って、本件発明2は刊行物1に記載された発明と認められないばかりでなく、刊行物1に記載された発明に基づいて当業者が容易に発明できたものとも認められない。
　
[本件発明3]
　本件発明3は、本件発明2の撮影条件である焦点距離を撮影距離としたものであって、本件発明3と刊行物1に記載された発明とを比較すると、[本件発明2]で述べた相違点が存在し、[本件発明2]で述べた理由と同じ理由によって、本件発明3は刊行物1に記載された発明と認められないばかりでなく、刊行物1に記載された発明に基づいて当業者が容易に発明できたものとも認められない。
　
[本件発明4]
　本件発明4は、訂正前の請求項5に係る発明を単に独立形式の表現に改めたものであるため、特許請求の範囲の減縮を目的とする訂正ではなく、独立特許要件は課されない。
　
《2-5》むすび
　以上のとおりであるから、上記訂正は、特許法第120条の4第2項及び同条第3項で規定する訂正について、平成6年法律第116号附則第6条第1項の規定によりなお従前の例によるとされる改正前の特許法第126条第1項ただし書き、同条第2項及び同条第3項の規定に適合するので、当該訂正を認める。
　
【3】特許異議の申立てについての判断
《3-1》申立ての理由の概要
　特許異議申立人 キヤノン株式会社は、特許第2859388号の請求項1,3,4に係る発明は、刊行物1に記載された発明であり、特許法第29条第1項第3号に該当するから、特許法第29条第1項の規定に違反して特許されたものである旨主張している。
　なお、訂正請求により、訂正前の請求項1は削除され、訂正前の請求項3,4は、訂正後の請求項2,3として訂正された。
　
《3-2》判断
　本件発明2,3(訂正前の請求項3,4を訂正したもの)は、上記《2-2-4》独立特許要件の判断で示したように、異議申立人の提示した刊行物1に記載された発明と認められないばかりでなく、刊行物1に記載された発明に基づいて当業者が容易に発明できたものとも認められない。
　
【4】むすび
　以上のとおりであるから、特許異議申立の理由及び証拠方法によっては、本件発明2,3の特許を取り消すことはできない。
　また、他に本件発明2,3の特許を取り消すべき理由を発見しない。
　よって、結論のとおり決定する。
【異議決定日】
平成１２年４月２１日（２０００．４．２１）
【訂正の要旨】
訂正の要旨
　特許第２８５９３８８号（平成２年７月６日出願、平成１０年１２月４日設定登録）の願書に添付した明細書を、特許請求の範囲の減縮及び明りょうでない記載の釈明を目的として、訂正請求書（平成１１年１２月２８日請求）に添付した訂正明細書のとおり、すなわち、次のＡ〜Ｂのとおり訂正する。
訂正事項Ａ：
　請求項１を削除し、請求項１を引用する請求項２を独立項形式に訂正し、請求項１を引用する請求項３、４を、独立項形式に訂正した請求項２を引用する形式に訂正し、請求項１を引用する請求項５を独立項形式に訂正する。
　すなわち、原特許明細書の特許請求の範囲の記載、
　『（１）撮影条件が変化しても変化しない固定レンズデータと、撮影条件の変化に応じて変化する可変レンズデータとを含むレンズデータを、複数の撮影条件に応じてメモリするメモリ手段を備えた撮影レンズにおいて、
　上記撮影条件に応じた可変レンズデータを、複数の撮影条件に対応した可変データメモリエリアにメモリし、上記複数の撮影条件に共通する固定レンズデータは、上記メモリエリアとは別の固定データメモリエリアにメモリしたことを特徴とする撮影レンズ。
　（２）請求項１に記載の撮影レンズはさらに、上記撮影条件を検出する撮影条件検出手段と、
　この撮影条件検出手段が検出した撮影条件に応じた上記固定レンズデータおよび可変レンズデータを読出す読出手段とを備えていることを特徴とする撮影レンズ。
　（３）請求項１に記載の撮影レンズはズームレンズであり、上記撮影条件は焦点距離であって、該ズームレンズの可変焦点距離が複数の焦点距離ゾーンに分割され、該各分割された各焦点距離ゾーンにおいて同一のレンズデータが上記固定レンズデータとして、他のレンズデータが上記可変レンズデータとしてそれぞれ上記メモリ手段の所定のエリアにメモリされていることを特徴とする撮影レンズ。
　（４）請求項１において、上記撮影条件は撮影距離であって、該撮影距離が複数のゾーンに分割され、該分割された各撮影距離ゾーンにおいて同一のレンズデータが上記固定レンズデータとして、他のレンズデータが上記可変レンズデータとしてそれぞれ上記メモリ手段の所定のエリアにメモリされていることを特徴とする撮影レンズ。
　（５）請求項１において、上記メモリ手段はＲＯＭであって、このＲＯＭは、一の撮影条件における複数のレンズ特性に関するレンズデータがそれぞれ特定のアドレスにメモリ可能な固定レンズデー夕メモリエリアと、他の可変レンズデータがそれぞれ特定のアドレスにメモリされた可変データメモリエリアとを備え、
　上記固定レンズデータは、上記固定データメモリエリアの対応するアドレスにそれぞれメモリされ、上記他の可変レンズデータは、上記可変データメモリエリアの対応するアドレスにそれぞれメモリされ、
　さらに、上記固定データメモリエリアの空きアドレスには、上記撮影条件に応じた対応する可変レンズデータのメモリアドレスを特定するデータがメモリされていることを特徴とする撮影レンズ。』
を、
　『（１）撮影条件が変化しても変化しない固定レンズデータと、撮影条件の変化に応じて変化する可変レンズデータとを複数の撮影条件に応じてメモリするメモリ手段を備えた撮影レンズにおいて、
　上記撮影条件に応じた可変レンズデータを、複数の撮影条件に対応した可変データメモリエリアにメモリし、上記複数の撮影条件に共通する固定レンズデータは、上記可変データメモリエリアとは別の固定データメモリエリアにメモリし、
　さらに、上記撮影条件を検出する撮影条件出手段と、
　この撮影条件検出手段が検出した撮影条件に応じた上記可変レンズデータと上記固定データとを読み出す読み出し手段と、を備えたことを特徴とする撮影レンズ。
　（２）請求項１に記載の撮影レンズはズームレンズであり、上記撮影条件は焦点距離であって、該ズームレンズの可変焦点距離が複数の焦点距離ゾーンに分割され、該各分割された各焦点距離ゾーンにおいて同一のレンズデータが上記固定レンズデータとして、他のレンズデータが上記可変レンズデータとしてそれぞれ上記メモリ手段の所定のエリアにメモリされていることを特徴とする撮影レンズ。
　（３）請求項１において、上記撮影条件は撮影距離であって、該撮影距離が複数のゾーンに分割され、該分割された各撮影距離ゾーンにおいて同一のレンズデータが上記固定レンズデータとして、他のレンズデータが上記可変レンズデータとしてそれぞれ上記メモリ手段の所定のエリアにメモリされていることを特徴とする撮影レンズ。
　（４）撮影条件が変化しても変化しない固定レンズデータと、撮影条件の変化に応じて変化する可変レンズデータを複数の撮影条件に応じてメモリするメモリ手段を備えた撮影レンズにおいて、
　上記メモリ手段としてＲＯＭを備え、このＲＯＭは、一の撮影条件における複数のレンズ特性に関するレンズデータがそれぞれ特定のアドレスにメモリされた固定レンズデー夕メモリエリアと、他の可変レンズデータがそれぞれ特定のアドレスにメモリされた可変データメモリエリアとを備え、
　上記固定レンズデータは、上記ＲＯＭの固定データメモリエリアの対応するアドレスにそれぞれメモリされ、上記他の可変レンズデータは、上記ＲＯＭの可変データメモリエリアの対応するアドレスにそれぞれメモリされ、
　さらに、上記ＲＯＭの固定データメモリエリアの空きアドレスには、上記撮影条件に応じた対応する可変レンズデータのメモリアドレスを特定するデータがメモリされていることを特徴とする撮影レンズ。』
と訂正する。
訂正事項Ｂ：
　同明細書第６頁第１４行乃至第７頁第６行の記載、
　『本発明は、レンズデータの中には、撮影距離あるいは焦点距離が変わっても変化しないものがあることに着目してなされたもので、撮影条件が変化しても変化しない固定レンズデータと、撮影条件の変化に応じて変化する可変レンズデータとを含むレンズデータを、複数の撮影条件に応じてメモリするメモリ手段を備えた撮影レンズにおいて、上記撮影条件に応じた可変レンズデータを、複数の撮影条件に対応した可変データメモリエリアにメモリし、上記複数の撮影条件に共通する固定レンズデータは、上記メモリエリアとは別の固定データメモリエリアにメモリしたことに特徴を有する。』
を、
　『本発明は、レンズデータの中には、撮影距離あるいは焦点距離が変わっても変化しないものがあることに着目してなされたもので、撮影条件が変化しても変化しない固定レンズデータと、撮影条件の変化に応じて変化する可変レンズデータを、複数の撮影条件に応じてメモリするメモリ手段を備えた撮影レンズにおいて、上記撮影条件に応じた可変レンズデータを、複数の撮影条件に対応した可変データメモリエリアにメモリし、上記複数の撮影条件に共通する固定レンズデータは、上記可変データメモリエリアとは別の固定データメモリエリアにメモリし、さらに、上記撮影条件を検出する撮影条件出手段と、この撮影条件検出手段が検出した撮影条件に応じた上記可変レンズデータと上記固定データとを読み出す読み出し手段とを備えたことに特徴を有する。』
と訂正する。
（５４）【発明の名称】
撮影レンズ
（５７）【特許請求の範囲】
（１）撮影条件が変化しても変化しない固定レンズデータと、撮影条件の変化に応じて変化する可変レンズデータとを複数の撮影条件に応じてメモリするメモリ手段を備えた撮影レンズにおいて、
　
上記撮影条件に応じた可変レンズデータを、複数の撮影条件に対応した可変データメモリエリアにメモリし、上記複数の撮影条件に共通する固定レンズデータは、上記可変データメモリエリアとは別の固定データメモリエリアにメモリし、
　さらに、上記撮影条件を検出する撮影条生出手段と、
　この撮影条件検出手段が検出した撮影条件に応じた上記可変レンズデータと上記固定データとを読み出す読み出し手段と、を備えたことを特徴とする撮影レンズ。
（２）
（３）
（４）撮影条件が変化しても変化しない固定レンズデータと、撮影条件の変化に応じて変化する可変レンズデータを複数の撮影条件に応じてメモリするメモリ手段を備えた撮影レンズにおいて、
　上記メモリ手段としてＲＯＭを備え、このＲＯＭは、一の撮影条件における複数のレンズ特性に関するレンズデータがそれぞれ特定のアドレスにメモリ
された
　上記固定レンズデータは、上記ＲＯＭの固定データメモリエリアの対応するアドレスにそれぞれメモリされ、上記他の可変レンズデータは、上記ＲＯＭの可変データメモリエリアの対応するアドレスにそれぞれメモリされ、
　さらに、上記ＲＯＭの固定データメモリエリアの空きアドレスには、上記撮影条件に応じた対応する可変レンズデータのメモリアドレスを特定するデータがメモリされていることを特徴とする撮影レンズ。
【発明の詳細な説明】
「技術分野」
　本発明は、その撮影レンズ固有のレンズデータがメモリされたメモリ手段を備えた撮影レンズに関する。
「従来技術およびその問題点」
　近年のＡＦ（自動焦点）一眼レフカメラの撮影レンズ（交換レンズ）には、その撮影レンズ固有のレンズデータをメモリしたメモリ手段（通常はＲＯＭ）が搭載されている。一方カメラボディには、上記ＲＯＭにメモリされたレンズデータを通信により読出して、そのレンズデータに基づいて、所定のアルゴリズム、演算式により露出演算および自動焦点調節に関するＡＦ演算等を実行して、露出因子（絞り値およびシャッタ速度等）およびデフォーカス量、焦点レンズの移動量などを算出する。
　レンズデータとしては、例えば、開放絞りのアペックス値Ａｖｍｉｎ（開放Ｆナンバー）、最小絞りのアペックス値Ａｖｍａｘ（最大Ｆナンバー）、焦点距離ｆ、あるいは撮影距離データなどがある。
　ここで、上記レンズデータは撮影条件によって、つまり、単一焦点距離レンズの場合には撮影距離に応じて変わるものがあり、ズームレンズの場合には、さらに焦点距離に応じて変わるものがある。
　そこで、単一レンズの場合には、複数の撮影距離を複数のゾーンに分割して各撮影距離ゾーン毎に、そのゾーンに対応するすべてのレンズデータを、ＲＯＭの所定のエリア毎にメモリしている。また、ズームレンズの場合には、焦点距離範囲を複数の範囲に分割して各焦点距離ゾーン毎に、その焦点距離ゾーンに対応するすべてのレンズデータをＲＯＭの所定のエリアにメモリしている。つまり、ページアドレス方式によって、撮影条件毎にレンズデータをメモリしている。
　そして、例えば、撮影距離検出手段または焦点距離検出手段により撮影距離または焦点距離を検出して、これらの各検出距離データに対応するぺージにメモリされたレンズデータをすべて、その時点のレンズデータとしてカメラボディに出力する。
　６分割された焦点距離ゾーン毎に対応するすべてのレンズデータを、各ページ（エリア）毎にメモリしたレンズＲＯＭの内容を第７表に示した。この第７表において、各行は各ページの内容を示し、（００、１０、２０、３０、４０、５０）は、６分割された焦点距離ゾーンに対応するページを表わす。
　このように、複数の撮影距離あるいは焦点距離に応じたすべてのレンズデータをページ単位でメモリ手段にメモリすると、大きなメモリ容量が必要となる。
「発明の目的」
　本発明は、上記問題意識に基づいてなされたもので、少ないメモリ容量で、多数の撮影条件に基づくレンズデータがメモリできる撮影レンズを提供することを目的とする。
「発明の概要」
　本発明は、レンズデータの中には、撮影距離あるいは焦点距離が変わっても変化しないものがあることに着目してなされたもので、撮影条件が変化しても変化しない固定レンズデータと、撮影条件の変化に応じて変化する
可変レンズデータを
し、さらに、上記撮影条件を検出する撮影条件出手段と、この撮影条件検出手段が検出した撮影条件に応じた上記可変レンズデータと上記固定データとを読み出す読み出し手段と
　この構成によれば、撮影条件、例えば焦点距離または撮影距離が変わっても変化しない共通の固定レンズデータは１組しかメモリしなくてもよいので、メモリ容量が少なくて済む。
　本発明は、より具体的には、上記メモリ手段をＲＯＭで構成し、このＲＯＭに、一つの撮影条件における複数のレンズ特性に関するレンズデータをそれぞれ特定のアドレスにメモリ可能な固定データメモリエリアと、他の可変レンズデータをそれぞれ特定のアドレスにメモリした可変データメモリエリアとを備え、上記固定レンズデータは、上記固定データメモリエリアの対応するアドレスにそれぞれメモリし、上記他の可変レンズデータは、上記可変データメモリエリアの対応するアドレスにそれぞれメモリし、さらに、上記固定データメモリエリアの空きアドレスには、撮影条件に応じた対応する可変レンズデータのメモリアドレスを特定可能なデータをメモリする。
　この構成によれば、撮影条件に応じた固定データは、撮影条件の変化にかかわらず固定データメモリエリアの特定のアドレスから直接得ることができるし、可変レンズデータは、上記固定データメモリエリアの特定のアドレスにメモリされたアドレスデータに基づいて、可変データメモリアドレスから得ることができる。
「発明の実施例」
　以下、図示実施例に基づいて本発明を説明する。
　第１図は、本発明を適用したズームレンズ５１の概要を示すブロック図である。このズームレンズ５１は、複数の撮影条件によって異なるレンズ特性を有する。この撮影条件としては、例えば焦点距離あるいは撮影距離がある。レンズ特性としては、例えば、絞り値としては開放Ｆナンバー（開放絞り値）、最大Ｆナンバーなどがあり、自動焦点に関数するデータとして、例えばＫＶＡＬＵＥがある。なお、ＫＶＡＬＵＥとは、ズームレンズ５１の結像面を単位長移動させるために、焦点レンズをどれだけ移動させなければならないか等に関する関数または数値である。
　メモリ手段（ＲＯＭ）５３には、各撮影条件に応じたレンズデータのうち、共通の固定レンズデータと、他の可変レンズデータとが各々メモリされている。そしてこれらのレンズデータは、撮影条件検出手段としての焦点距離検出手段５５が検出した撮影条件に応じて、レンズデータ読出手段５７により読出され、カメラボディ６１に送られる。
　次に、第２図ないし第４図に基づいて、本発明を適用した一眼レフカメラシステムの構成について説明する。第２図は、本発明を適用したズームレンズ２を装着した一眼レフカメラシステムの主要回路構成をブロックで示す図である。
　このズームレンズ２は、焦点距離の変化に応じ特定のレンズデータが変化する。第６表に示したように、本実施例では、可変焦点距離範囲を複数のゾーンに分割し、各焦点距離ゾーンにおいて共通の（変化しない）レンズデータを、固定の固定レンズデータとして、レンズＣＰＵ３０内のＲＯＭ３０ａの固定データメモリエリア（アドレス「００」）にメモリしてある。さらに、各焦点距離ゾーン毎に変化するレンズデータは、ＲＯＭ３０ａの上記エリアとは別のエリア（アドレス「１０」〜）にメモリしてある。なお、レンズＣＰＵ３０はレンズデータ読出し手段を構成し、ＲＯＭ３０ａはメモリ手段を構成している。
　可変レンズデータとしては、先に述べたように焦点距離、被写体距離ならびに開放Ｆナンバー、最小ＦナンバーおよびＫＶＡＬＵＥデータなどがある。
　次に、上記ズームレンズ２からレンズデータを入力して露出因子等を算出して撮影する、一眼レフカメラシステムの構成ついて説明する。
　カメラボディ１は、制御手段としてメインＣＰＵ１０および表示用ＣＰＵ１１とを備えている。メインＣＰＵ１０は、カメラシステム全体を統括的に制御するとともに、撮影に必要な各種のデータを、所定の演算式に基づいて演算処理する機能を備えている。表示用ＣＰＵ１１は、スイッチ部材による情報の入力およびズームレンズ２との間で情報の授受を行なうインタフェースとしての機能、および撮影情報に関する表示を制御する機能を有する。
　表示用ＣＰＵ１１には、各種の撮影情報を表示するＬＣＤパネル１２、フィルムのパトローネの表面に設けられたＤＸコードの中から、少なくともフィルムのＩＳＯ感度情報を読み込むＤＸコード入力回路１３が接続されている。また、メインＣＰＵ１０には、ズームレンズ２を介して入射する光束を受光して、その強度に応じたアナログ信号を出力する受光素子１４が、Ａ／Ｄ回路１５を介して接続されている。
　さらにメインＣＰＵ１０には、入力された各種の撮影情報に基づいてシャッターおよび絞り等（図示せず）を駆動制御する露出制御回路１６、オートフォーカス用ＣＣＤ測距センサ１７が出力する焦点情報を受けてズームレンズ２の合焦状態を検出するＣＣＤ処理回路１８、ズームレンズ２のフォーカシングを行なうＡＦモータ１９を駆動するＡＦモータ制御回路２０、およびＡＦモータ１９の回転量（回転角または回転数）をパルス数として検出するＡＦパルサー２１が接続されている。なお、ＣＣＤ測距センサ１７は、ズームレンズ２を通って入射した被写体光束を受けて、所定の焦点情報信号（デフォーカス信号）を出力する。
　ＡＦモータ１９は、カメラボディ側マウントＢＭから突出可能に設けられたカプラ１９ａと、レンズ側マウントＬＭに設けられたカプラ３１ａとの接続を介して、ズームレンズ２に駆動力を伝達する。
　バッテリー２２は、カメラボディ１内の各電子素子、電子回路に電源を供給するほか、ズームレンズ２内のモータ、電子素子、電子回路に対しても電力を供給する。
　また、ズームレンズ２は、レンズ制御手段としてのレンズＣＰＵ３０と、焦点調節用カム環の回転により焦点レンズ群を光軸方向に相対移動させてフォーカシングを行なうフォーカス機構３１と、ズーム環（図示せず）を回動させて、少なくとも２組の変倍レンズ群を光軸方向に相対移動させてズーミングを行なうズーム機構３２とを備えている。
　フォーカス機構３１にはカプラ３１ａが接続されている。カプラ３１ａとカプラ１９ａとは、ズームレンズ２がカメラボディ１に装着されたときに連結し、ＡＦモータ１９の回転駆動力をフォーカス機構３１に伝達する。フォーカス機構３１は、この駆動力により焦点調節用カム環（図示せず）を回動させて合焦動作を行なう。
　また、図示しない係合解除手段によりカプラ３１ａ、１９ａの係合を解除することにより、撮影者が手動により焦点調節操作リングを回動操作して焦点調節を行なう、いわゆるマニュアルフォーカスも可能である。
　ズーム機構３２は、ＰＺモータ３４により駆動され、ＰＺモータ３４は、パワーズーム（ＰＺ）モータ駆動部３３により駆動制御される。ＰＺモータ駆動部３３の動作は、パワーズームモードに応じてレンズＣＰＵ３０またはズームスイッチＳＷＰＺ２（第４図参照）により制御され、またマニュアルパワーズームモードにおいては、撮影者により手動操作されるズーム操作コード板３８の出力により制御される。
　なお、オートパワーズームモードとマニュアルパワーズームモードとの切換えは、ズームスイッチＳＷＺＭ１の操作を受けたレンズＣＰＵ３０により行なわれる。
　レンズＣＰＵ３０には、情報入力手段として、ＰＺモータ３４の駆動量をパルス数で検出するＰＺパルサー３５と、フォーカス機構３１により駆動された焦点調節用カム環（焦点レンズ群）の位置情報（被写体距離情報）を読取る、初期値データ形成手段の一つを構成する距離コード板Ａ３６と、ズーム機構３２により駆動されたズーム用カム環（変倍レンズ群）の位置情報（焦点距離情報）を読取るズームコード板３７と、ズーム操作スイッチによるパワーズームの方向およびズームスピードに関する情報を入力するズーム操作コード板３８が接続されている。上記距離コード板Ａ３６、ズームコード板３７およびレンズＣＰＵ３０により撮影条件検出手段を構成している。
　なお、撮影レンズが単焦点マクロレンズのときには、フォーカシングレンズの移動距離が長くなるので、距離コード板Ａ３６に代えて、より情報量の多いズームコード板３７が利用される。
　さらにレンズＣＰＵ３０には、このズームレンズ２がズームレンズ、単焦点レンズ、単焦点マクロレンズであるかどうかなどレンズの種別を識別するレンズ判別コード板３９と、テレ端時におけるＫＶＡＬＵＥに関するデータを入力するＫＶＡＬＵＥ入力部材４０が接続されている。なお「ＫＶＡＬＵＥ」とは、本実施例では、ズームレンズ２により結像された像面を単位長さ移動させるために必要なＡＦパルサー２１のパルス数をいうが、これに限定されるものではない。
　また、距離コード板Ａ３６およびその他のコード板は、図示しないが、カム環等に固定されたコード板と、固定環等に取付けられた、コード板の各コードにそれぞれ独立して摺接する複数の接片を備えたブラシとによって構成されている。そして、ブラシの各接片が接触するコード（ハイ／ローレベル）の組み合わせによって、カム環等の位置を複数ビットの情報として得る構成が一般的である。
　さらに、レンズＣＰＵ３０のデータ入出力端子には、入出力手段としてのレンズインタフェース４１が接続されている。レンズＣＰＵ３０と表示用ＣＰＵ１１とは、このレンズインタフェース４１を介してデータの授受を行なう。このインタフェース４１には、マクロ時にマクロ情報を出力する、初期値データ形成手段の一つを構成するマクロコード部材４２が接続されている。
［カメラボデイの回路］
　第３図には、カメラボディ１の電気系の主要構成をブロックで示してある。
　表示用ＣＰＵ１１のＶＤＤ１端子には、バッテリー２２の電圧が、レギュレータ２３により変圧され、スーパーキャパシタ２４によるバックアップを受けて供給されている。表示用ＣＰＵ１１は、このＶＤＤ１端子に入力された定電圧により常時動作している。
　表示用ＣＰＵ１１のＰ１端子には、メインＣＰＵ１０の電源をＯＮ／ＯＦＦ制御するＤＣＤＣコンバータ２５が接続され、Ｐ２端子には、シャッターボタン（図示せず）の半押しでオンする測光スイッチＳＷＳが接続され、Ｐ３端子には、シャッターボタンの全押しでオンするレリーズスイッチＳＷＲが接続され、Ｐ４端子には、カメラを撮影状態にする場合にオンされるロックスイッチＳＷＬが接続されている。
　ＤＣ／ＤＣコンバータ２５は、ロックスイッチＳＷＬがオンした状態で測光スイッチＳＷＳあるいはレリーズスイッチＳＷＲがオンされたとき、およびズームレンズ２からレンズデータを入力する際に表示用ＣＰＵ１１からの指令によって作動し、メインＣＰＵ１０のＶＤＤ端子に基準定電圧を供給してメインＣＰＵ１０を起動させる。
　さらに表示用ＣＰＵ１１のＰ５端子にはモードスイッチＳＷＭが接続され、Ｐ６端子にはドライブスイッチＳＷＤＲが接続され、Ｐ７端子には露出補正スイッチＳＷＸＶが接続され、Ｐ８、Ｐ９端子にはそれぞれ、アップスイッチＳＷＵＰ、ダウンスイッチＳＷＤＮが接続されている。
　表示用ＣＰＵ１１は、Ｐ５〜Ｐ９端子のレベルを入力してこれらのスイッチＳＷのＯＮ／ＯＦＦ状態を知り、それぞれの状態に応じた動作をする。例えば、モードスイッチＳＷＭの操作に応じてプログラム露出モード、オート露出モードまたはマニュアル露出モード等の各露出モードを択一的に選択可能とし、またドライブスイッチＳＷＤＲの操作に応じていわゆるシングル（単写）モード、連写モードなどのドライブモードを択一的に選択可能な状態にする。そして、これらの露出モード、またはドライブモードが選択可能な状態において、スイッチＳＷＵＰまたはＳＷＤＮの操作に応じて選択モードを循環して変更する。
　また、表示用ＣＰＵ１１は、露出補正スイッチＳＷＸＶがオンされたときには露出値の変更を可能な状態とし、この状態におけるスイッチＳＷＵＰまたはＳＷＤＮの操作に応じて露出補正値を変更する。
　表示用ＣＰＵ１１の表示制御用ＰＳＥＧ端子群は、バスを介して表示用ＬＣＤ１２に接続されている。表示用ＣＰＵ１１は、ロックスイッチＳＷＬがオンされたときに、撮影に関する所定のデータを表示用ＬＣＤ１２に表示させる。
　表示用ＣＰＵ１１の７個のＰ１０〜Ｐ１６端子はそれぞれ、ボディ側マウントＢＭに設けられたボディ側Ｆｍｉｎ１接点、Ｆｍｉｎ２接点、Ｆｍｉｎ３接点、Ｆｍａｘ１接点、Ｆｍａｘ２接点、Ａ／Ｍ接点およびＣｏｎｔ接点に接続され、Ｐ１８端子はスイッチ回路２６に接続されている。
　また、ボディ側Ｆｍｉｎ１、２、３接点は、ズームレンズ２との間でデータ通信を行なう通信接点としての機能も有する。つまり、ボディ側Ｆｍｉｎ１接点はシリアルクロックを入出力するＳＣＫ接点、ボディ側Ｆｍｉｎ２接点はデータの授受を行なうＤＡＴＡ接点、ボディ側Ｆｍｉｎ３接点はリセット信号を出力するＲＥＳ接点としての機能を有する。また、Ｐ１０、Ｐ１１およびＰ１２端子は、表示用ＣＰＵ１１の内部で常時プルアップされている。
　スイッチ回路２６の出力は、ＶＢＡＴＴ端子に接続されている。このスイッチ回路２６は、バッテリー２２とＶＢＡＴＴ端子とを断続するスイッチとして機能し、Ｐ１８端子のレベルに応じてスイッチング動作をする。Ｇｎｄ端子は、バッテリー２２のＧｎｄ端子側に接続されている。
　表示用ＣＰＵ１１とメインＣＰＵ１０とは、シリアルクロックＳＣＫ端子、シリアルインＩＮ端子、シリアルアウトＳＯ端子を介してデータ通信を行なうが、この通信では、例えば、第１表に示したコマンドコードを用いてデータ転送を行なう。第１表の左欄は、表示用ＣＰＵ１１からメインＣＰＵ１０へ出力されるデータである。右欄は、メインＣＰＵ１０から表示用ＣＰＵ１１へ転送されるデータであり、これらのデータは、メインＣＰＵ１０が制御する測光、測距等の測定データに基づいて設定される。
　メインＣＰＵ１０のＰＡ接点群は、測光用のＡ／Ｄ回路１５に接続され、ＰＢ接点群は露出制御回路１６に、ＰＣ接点群はＣＣＤ処理回路１８に、ＰＤ接点群はＡＦモータ制御回路２０に、ＰＥ接点群はＡＦパルサー２１に、ＰＦ接点群はＤＸコード入力回路１３にそれぞれ接続されている。
　メインＣＰＵ１０のＰ２０端子は、フォーカシングモードを、ＡＦモータ１９の駆動により行なうオートフォーカスモードと、ユーザーの手動駆動によるマニュアルフォーカスモードとの間で切換える第１ＡＦスイッチＳＷＡＦ１に接続されている。Ｐ２端子には、シャッターレリーズのモードを、合焦優先モードとレリーズ優先モードとの間で切換える第２ＡＦスイッチＳＷＡＦ２が接続されている。
　これらの第１、第２ＡＦスイッチＳＷＡＦ１、ＳＷＡＦ２は機械的に連動する構成であり、例えば、第１ＡＦスイッチＳＷＡＦ１によりマニュアルフォーカスモードが設定されると、第２ＡＦスイッチＳＷＡＦ２がレリーズ優先モードに切換わる。つまり、一方がオンすると他方がオフする構成である。
［ズームレンズの回路］
　次に、ズームレンズ２に搭載された電気系の構成について、第４図を参照して説明する。
　ズームレンズ２のレンズ側マウントＬＭには、カメラボディ１に装着されたときにボディ側マウントＢＭに設けられた対応する接点と電気的に接続するレンズ側接点群として、ＶＢＡＴＴ接点、ＣＯＮＴ接点、ＲＥＳ（Ｆｍｉｎ３）接点、ＳＣＫ（Ｆｍｉｎ１）接点、ＤＡＴＡ（Ｆｍｉｎ２）接点、Ｇｎｄ接点、レンズ側Ｆｍａｘ１接点、レンズ側Ｆｍａｘ２接点およびＡ／Ｍ接点が設けられている。図示の都合でボディ側接点群と順番を代えて示してあるが、これらのレンズ側接点群の各接点は、同一符号を付したボディ側接点群の各接点とそれぞれ電気的に接続される。
　レンズ側ＶＢＡＴＴ接点はＰＺモータ駆動部３３に接続されていて、ＰＺモータ駆動部３３のスイッチング動作により、カメラボディ１のバッテリ２２の電力が、ＶＢＡＴＴ接点を介してＰＺモータ３４に直接供給される。
　レンズ側Ｆｍａｘ１、Ｆｍａｘ２接点は、従来の旧ＡＥレンズに設けられているものと同様に２ビットの最小絞りＦナンバー（数値としては最大値）情報をカメラボディに伝達する固定情報伝達部としても機能する。つまり、レンズ側Ｆｍａｘ１、Ｆｍａｘ２接点は、スイッチＳＷｍａｘ１、ＳＷｍａｘ２を介して接地されていて、一対のスイッチＳＷｍａｘ１、ＳＷｍａｘ２のＯＮ／ＯＦＦの組み合わせにより変わるレベルの組み合わせにより、最小絞りＦナンバー情報を形成する。レンズ側Ｆｍａｘ１、Ｆｍａｘ２接点のレベルと最小絞りＦナンバーとの組み合わせは、例えば第２表に示す通りである。
　レンズ側Ａ／Ｍ接点は、絞りのオート／マニュアル情報をカメラボディ１に供給する機能を有し、切換えスイッチＳＷＡ／Ｍを介して接地されている。切換えスイッチＳＷＡ／Ｍは、ズームレンズ２の絞りリング（図示せず）の回転に連動していて、絞りリングがオート位置またはマニュアル位置にあるときにオンまたはオフする。
　レンズ側Ｆｍｉｎ１、２、３接点は、旧ＡＥレンズに設けられているものと同様に、３ビットの開放絞りＦナンバー情報をカメラボディ１に伝達する固定情報伝達部としての機能と、カメラボディ１との間で通信を行なう通信接点としても機能する。レンズ側Ｆｍｉｎ１、２、３接点のレベルと開放Ｆナンバーとの関係は、例えば第３表に示す通りである。
　このように固定情報伝達および通信機能を共用させるために、レンズ側Ｆｍｉｎ１、２、３接点にＰＮＰトランジスタＴｒ１、２、３が接続されている。各トランジスタＴｒのエミッタはレンズ側Ｆｍｉｎ１、２、３接点に接続され、ベースは、ヒューズ部Ｈ１〜Ｈ３を介して接点ＣＯＮＴに断続可能に形成され、コレクタは、接地されている。なお、ヒューズ部は、エミッタとレンズ側Ｆｍｉｎ接点との間に設ける構成としてもよい。
　レンズ側Ｆｍｉｎ１、２、３接点から開放絞りＦナンバー情報を得るためには、ＣＯＮＴ接点の電位がＧｎｄレベルに落される。すると、ヒューズが接続されているトランジスタＴｒがオンし、オンしたトランジスタＴｒのエミッタはＧＮＤレベルに、オンしないトランジスタＴｒのエミッタは“Ｈ”レベルになる。つまり、ヒューズ部Ｈ１〜Ｈ３の断続によりトランジスタＴｒｌ、２、３がオフまたはオンしてエミッタレベルが変わり、３ビットの開放絞りＦナンバー情報がレンズ側Ｆｍｉｎ１、２、３接点に出力される。
　レンズインタフェース４１のＣＯＮＴ端子は、レンズ側ＣＯＮＴ接点に接続され、ＲＥＳ端子はレンズ側Ｆｍｉｎ３接点に、ＳＣＫ端子はレンズ側Ｆｍｉｎ１接点に、ＤＡＴＡ端子はレンズ側Ｆｍｉｎ２接点に、Ｇｎｄ端子はレンズ側Ｇｎｄ接点に接続されている。
　レンズ側ＣＯＮＴ接点は、上記のように、トランジスタＴｒのベースおよびレンズインタフェース４１のＣＯＮＴ端子に接続されている。このＣＯＮＴ端子による電源供給のスイッチングは、ＲＥＳ端子（レンズ側Ｆｍｉｎ３）を介して行なわれる。つまり、開放絞りＦナンバーに関するデータが表示用ＣＰＵ１１に読取られ、ＣＯＮＴ端子が“Ｈ”レベルに、ＲＥＳ端子が“Ｌ”レベルになったときに、レンズＣＰＵ３０に基準定電圧が供給される。
　レンズインタフェース４１のＶＤＤＢ端子は、コンデンサＣ２を介してレンズＣＰＵ３０のＶＤＤ端子に接続され、カメラボディ１のＣＯＮＴ端子から供給された定電圧をレンズＣＰＵ３０に供給している。
　レンズインタフェース４１のＤＩＳ１〜ＤＩＳ３端子には、撮影条件検出手段を構成する距離コード板Ａ３６が接続されている。距離コード板Ａ３６は、フォーカス機構３１によって駆動された焦点調節用カム環の位置に応じた被写体距離に関する距離情報信号を３ビット信号としてＤＩＳ１〜ＤＩＳ３端子に出力する。
　ＭＡＣＲＯ端子には、マクロコード部４２が接続されている。このマクロコード部４２は、ズーム操作環が操作されてズームレンズ２がマクロに切換えられたときに、これを検知してオンするマクロスイッチとしての機能を有する。ズーム操作環の操作によりマクロに切換わるときには、マクロコード部４２を、ズームコード板３７のコードの一部として形成することもできる。
　また、レンズインタフェース４１の入出力端子群は、レンズＣＰＵ３０の入出力端子群と接続されている。レンズインタフェース４１のリセットＲＥＳＢ端子は、レンズＣＰＵ３０のリセットＲＥＳＥＴ端子に接続され、クロックＣＬＫ端子はシリアルクロックＳＣＫ端子に、シリアルインＳＩＳ端子はシリアルアウトＳＯ端子に、シリアルアウトＳＯＳ端子はシリアルインＳＩ端子に、ＣＥ端子はＰ４３端子に、ＳＯＥ端子はＰ４０端子に、φＩＮ端子はＰＣＬ端子に、ＫＡＦＥＮＤ端子はＰＯＯ端子にそれぞれ接続されている。また、レンズインタフェース４１のＣＲＥＳ端子は、ディレイコンデンサＣ１を介して接地されている。
　レンズＣＰＵ３０の制御端子にはＰＺモータ駆動部３３が接続されていて、レンズＣＰＵ３０は、ＰＺモータ駆動部３３を介してＰＺモータ３４の回転を制御している。
　さらにレンズＣＰＵ３０には、ＰＺパルサー３５およびレンズ判別コード３９が接続されている。
　レンズＣＰＵ３０のＰ３０〜Ｐ３３、Ｐ６２およびＰ６３端子のおのおのには、ズームコード板３７の各コードが接続されている。レンズＣＰＵ３０は、これらのＰ３０〜Ｐ３３、Ｐ６２およびＰ６３端子のレベルを入力し、その組み合わせに応じて焦点距離データ、あるいは単焦点マクロレンズのときには撮影距離データを得る。
　このズームレンズ２は、すでに述べた通り、焦点距離の変化によっては変わらない固定レンズデータをＲＯＭ３０ａのアドレス「００」で特定されるエリアにメモリし、可変レンズデータは、ＲＯＭ３０ａの他のエリアのアドレス「１０」〜にメモリしてある。そして、第６表に（　）で示したアドレス部分には特定のアドレスデータをメモリしてある。このアドレスデータにズームコードデータを加算したアドレスに、その焦点距離ゾーンにおける特定のレンズデータがメモリされている。
　したがってレンズＣＰＵ３０は、カメラボディ１（表示用ＣＰＵ１１）から出力されるデータ読み出しコマンドを受けると、コード板３７のズームコードを読み込み、アドレス「００」のページにメモリされた固定データおよび、上記（　）内のアドレスに上記ズームコードに基づくデータを加算したアドレスにメモリされたデータを、その時点のレンズデータとして読み出して、カメラボディ１に送出する。カメラボディ１とズームレンズ２との間で通信される情報およびコマンドとしは、例えば第４、５表に示すものがある。
　なお、レンズＣＰＵ３０のＰ２１〜Ｐ２３端子には、オートフォーカススイッチＳＷＡＦ３や、パワーズームスイッチＳＷＰＺ１、ＰＺ２などのスイッチが接続され、Ｐ２４〜Ｐ２９端子には、ズーム操作コード板３８が接続されている。
［ボディ、レンズ間の通信］
　このズームレンズ２は、クロック出力手段としてクロックパルス発生回路４３を備えていて、このクロックパルス発生回路４３は、レンズＣＰＵ３０のＸ１、Ｘ２端子に接続されている。レンズＣＰＵ３０は、このクロックパルス発生回路４３が出力するクロックパルスに同期して動作する。
　前述のように表示用ＣＰＵ１１は、ＣＯＮＴ端子を“Ｌ”レベルにして開放絞りＦナンバー情報を読み込んだ後に、ＣＯＮＴ端子およびＲＥＳ端子（Ｆｍｉｎ３端子）をともに“Ｈ”レベルにして、レンズＣＰＵ３０にリセットをかける。そして表示用ＣＰＵ１１がこのリセットを解除すると、レンズＣＰＵ３０は初期値データを読み込み、あるいは演算して、レンズインタフェース４１内のシフトレジスタに、カメラボディ１側から出力されるクロックとは非同期にセット（ロード）する。
　このセットされた初期値データは、カメラボディ１のクロックにより、シフトレジスタから順次出力される。以上の旧通信は、レンズインタフェース４１内でハード的に実行され、本実施例では１９バイト分のデータがカメラボディ１に送られる。
　旧通信が終了すると、レンズインタフェース４１のＫＡＦＥＮＤ端子が“Ｌ”レベルに立ち下がり、これが旧通信終了信号となって、レンズＣＰＵ３０は、カメラボディ１からの新通信開始データ待ち状態となる。
　カメラボディ１から新通信開始データを受け取ると、レンズＣＰＵ３０は、ＤＡＴＡ端子（Ｆｍｉｎ２接点）が“Ｈ”レベルであることを確認して、ＤＡＴＡ端子を“Ｌ”レベルに立ち下げた後に立ち上げることにより、カメラボデイ１に新通信が可能であることを伝え、新通信を開始する。なおＣＯＮＴ端子、ＲＥＳ端子は、最初にレンズＣＰＵ３０が立ち上がると、その状態にホールドされる。
　そして新通信では、カメラボディ１から出力される命令コードにより、ズームレンズ２からカメラボデイ１に、あるいはカメラボデイ１からズームレンズ２にデータが転送される。この新通信は、ズームレンズ２から出力されるクロックに同期して実行される。
　例えば、レンズＣＰＵ３０は、ＳＣＫ端子からクロックを出力をし、カメラボディ１が出力するデータをＤＡＴＡ端子から入力する。
　このコードがテストコードであればレンズＣＰＵ３０は、アクノリッジ信号をＤＡＴＡ端子から出力した後に、表示用ＣＰＵ１１から出力されるズームコードをＤＡＴＡ端子から入力し、これを内部ＲＡＭ３０ｂにメモリしてから受信終了アクノリッジ信号を出力する。
　その後、テストモードの状態でレンズ情報を読出せば、レンズＣＰＵ３０は、新たに書込まれたデータに対応したレンズデータをＤＡＴＡ端子から出力する。そしてレンズＣＰＵ３０は、所定のデータ出力が終了すると、ＤＡＴＡ端子を一旦“Ｌ”レベルに落してから“Ｈ”レベルに立ち上げて、カメラボデイ１側にデータ出力終了を伝える。
　また、本実施例のズームレンズ２が、旧通信しかできない旧タイプのカメラボディに装着された場合には、カメラボディ側から出力されるクロックにより上記旧通信が行なわれる。逆に、本実施例のカメラボディ１に、旧通信しかできない旧タイプのズームレンズが装着された場合には、カメラボディ１がクロックを出力して旧通信を行なう。
　次に、カメラボディ１とズームレンズ２との間における通信動作について説明する。
［レンズデータの入力処理］
　レンズデータの入力処理に関するカメラボディ１側の動作について、第５図に示したタイムチャートおよび第６Ａおよび６Ｂ図に示した動作フローチャートに基づいて説明する。この処理は、表示用ＣＰＵ１１により実行される。
　先ず、レンズ判別用の４個のレンズ種別フラグＦＡＥ、ＦＣＰＵ、ＦＬＲＯＭ、ＦＮＯを「０」にセットする（Ｓ４０）。ここで、フラグＦＡＥは、レンズＲＯＭを備えない従来の旧ＡＥレンズであることを識別し、フラグＦＣＰＵは、レンズＣＰＵを備えた新ＣＰＵレンズ、例えば第２図、第４図等に示したレンズＣＰＵ３０を備えた本実施例のズームレンズ２であることを識別する。フラグＦＬＲＯＭは、レンズＲＯＭを備えた従来のＡＥレンズであることを識別し、フラグＦＮＯは、レンズが装着されていないこと、または撮影レンズがＮＧ（故障等）の場合を識別するフラグである。
　次に、ロックフラグＦＬＯＣＫが立っているかどうかをチェックし、立っていなければステップＳ４２に進み、立っていればステップＳ４９にスキップする。
　ステップＳ４２では、ズームレンズ２との間でシリアル通信に使用するＰ１０〜Ｐ１２端子を入力モードに設定し、次にＰ１６端子（Ｃｏｎｔ接点）のレベルを入力してチェックする（Ｓ４３、Ｓ４４）。
　装着されたＣＯＮＴ接点が設けられていない場合には、ボディ側ＣＯＮＴ接点がレンズ側マウント面に接触してＧＮＤレベルになるので、レンズＲＯＭをもたない旧ＡＥレンズであることが分かる。
　旧ＡＥレンズのときには、Ｐ１０〜Ｐ１５端子のレベルを入力して、開放Ｆナンバー、最大Ｆナンバーに関するデータおよび絞りＡ／Ｍ切換えデータを読み込み、旧ＡＥレンズフラグＦＡＥを立ててリターンする（Ｓ４５、Ｓ４６）。
　Ｃｏｎｔ接点が“Ｈ”レベルのときには、撮影レンズが装着されていないか、レンズデータを有するレンズである。そこで、Ｐ１６端子を“Ｌ”レベルに下げて撮影レンズへの電源を落し、Ｐ１０〜Ｐ１５端子のレベルを入力する（Ｓ４８）。
　第３図に示すように、レンズ側Ｆｍｉｎ１〜Ｆｍｉｎ３接点にトランジスタＴｒが接続されているときには、オンするトランジスタＴｒとオンしないトランジスタＴｒの組み合わせにより変わる、レンズ側Ｆｍｉｎ１〜Ｆｍｉｎ３接点レベルの組み合わせにより開放Ｆナンバーが分かる。さらに、スイッチＳＷＦｍａｘ１、ＳＷＦｍａｘ２のＯＮ／ＯＦＦにより変わるレンズ側Ｆｍａｘ１、Ｆｍａｘ２接点レベルの組み合わせにより最大Ｆナンバーが分かり、絞りＡ／Ｍ接点のレベルにより、絞りがオートかマニュアルかが分かる。　ここで、Ｐ１０〜Ｐ１４端子がすべて“Ｈ”レベルであるかどうかをチェックし、すべて“Ｈ”レベルであれば、レンズが装着されていないと判断し、ノーレンズフラグＦＮＯを立ててリターンする（Ｓ４８−２、Ｓ５２）。
　Ｐ１０〜Ｐ１４端子のうち、１個でも“Ｌ”レベルのものがあれば、Ｐ１６端子を“Ｈ”レベルにしてレンズ側へ給電し、レンズＣＰＵ、レンズＲＯＭを作動可能状態としてからＰ１０〜Ｐ１４端子のレベルを入力する（Ｓ４９、Ｓ５０）。
　そして、Ｐ１０〜Ｐ１２端子がすべて“Ｈ”レベルであるかどうかをチェックし、いずれかのＰ１０〜Ｐ１２端子が“Ｌ”レベルであれば、撮影レンズ（レンズＲＯＭまたはレンズＣＰＵ）が故障していると考えられるので、ノーレンズフラグＦＮＯを立ててリターンする（Ｓ５１、Ｓ５２）。
　Ｐ１０〜Ｐ１２端子がすべて“Ｈ”レベルであれば、Ｐ１３、Ｐ１４端子レベルが双方ともに“Ｈ”レベルであるかどうかをチェックし、双方ともに“Ｈ”レベルのときには、撮影レンズが装着されていないと判断して、ノーレンズフラグＦＮＯを立ててリターンする（Ｓ５３、Ｓ５２）。
　Ｐ１３、Ｐ１４端子の少なくとも一方が“Ｌ”レベルであれば、新通信が可能な新ＣＰＵレンズ（ズームレンズ２）なので、Ｐ１２端子のレベルを“Ｌ”レベルに落し、Ｐ１０、Ｐ１１端子をシリアル通信モードにセットしてステップＳ５６に進む（Ｓ５３〜Ｓ５５）。
　ステップＳ５６では、ロックフラグＦＬＯＣＫが立っているかどうかをチェックし、立っていなければステップＳ５７に進み、立っていればステップＳ６６にスキップする。
　ステップＳ５７では、旧通信により１６バイトのレンズデータおよび３バイトのリアコンバータデータを入力する。
　旧通信によるデータ入力が終了すると、その入力したデータの一部からレンズＣＰＵを備えた新レンズ（ズームレンズ２）かどうかを判断し、新レンズでなければレンズＲＯＭを備えた従来のＡＥレンズなので、フラグＦＬＲＯＭを立ててリターンする（Ｓ５７−２、Ｓ５７−３）。
　一方、新レンズであれば、新旧切換え信号をＤＡＴＡ端子に出力し、レンズ側からアクノリッジ信号を受けてレンズ側にクロック要求信号を出力してレンズＣＰＵ３０にクロックを出力させる（Ｓ５８〜Ｓ６０）。
　次に、レンズ復帰命令コード９１Ｈを送出してレンズＣＰＵ３０にパワーズーム機構復帰動作を行なわせ、レンズＣＰＵ３０からアクノリッジ信号が出力されるのを待つ（Ｓ６１、Ｓ６２）。
　アクノリッジ信号を受けたら、収納前焦点距離データを送出してレンズＣＰＵ３０のパワーズーム処理を行なわせる（Ｓ６３）。そして、この処理の終了を、レンズＣＰＵ３０からアクノリッジ信号が出力されることで知り、ロックフラグＦＬＯＣＫを立ててステップＳ６６に進む（Ｓ６４、Ｓ６５）。
　ステップＳ６６では、クロック要求信号を送出してレンズＣＰＵ３０からクロックを出力させる。そして、そのクロックに同期させて命令コード６０Ｈを送出し、レンズＣＰＵ３０からアクノリッジ信号が送出されるのを待つ（Ｓ６７、Ｓ６８）。命令コード６０Ｈは、レンズ側のスイッチ設定データ、パワーホールド要求信号等を含むレンズ情報を読出すためのコードである。
　アクノリッジ信号を受けると、その後にレンズＣＰＵ３０から送出されるレンズ情報を受信する（Ｓ６９）。そしてレンズ情報の受信終了を表示用ＣＰＵ１１は、、レンズＣＰＵ３０が出力する送信終了アクノリッジ信号を受信することにより知る（Ｓ７０）。
　送信終了アクノリッジ信号を受信したら、パワーホールドの要求があるかどうかをチェックする（Ｓ７１）。要求があれば、レンズＣＰＵ３０にクロックの送出を要求し、Ｐ１８端子を“Ｈ”レベルにしてレンズＣＰＵ３０からアクノリッジ信号が出力されるのを待つ（Ｓ７２〜Ｓ７４）。
　アクノリッジ信号を受けたら、パワーホールドオンコード９２Ｈを送出してステップＳ８１に進む（Ｓ７５）。
　一方、ステップＳ７１でパワーホールドの要求がなかったときにはクロックの送出を要求し、レンズＣＰＵ３０から出力されるクロックに同期させてパワーホールドオフコード９３Ｈを送出する（Ｓ７６、Ｓ７７）。そして、レンズＣＰＵ３０から受信アクノリッジ信号が出力されるのを待つ（Ｓ７８）。
　受信アクノリッジ信号を受けたら、所定時間待ってからＰ１８端子を“Ｌ”レベルに落としてＰＺモータ３４への給電を断ち、ステップＳ８１に進む（Ｓ８０）。
　ステップＳ８１ではレンズＣＰＵ３０にクロックを要求し、そのクロックに同期させてレンズ情報２を要求するコード６１Ｈを送出し、受信アクノリッジ信号が出力されるのを待つ（Ｓ８２、Ｓ８３）。受信アクノリッジ信号を受信したら、次に送られてくるレンズ情報２を受信し、送信終了のアクノリッジ信号を受信するまで待つ（Ｓ８４、Ｓ８５）。
　送信終了アクノリッジ信号を受信したらクロックを要求し、レンズＣＰＵ３０から出力されるクロックに同期させて、すべてのデータを要求するコード３３Ｈを送出し、受信アクノリッジ信号が送られてくるのを待つ（Ｓ８６〜Ｓ８８）。
　受信アクノリッジ信号を受信したら、その後に送信される１６バイト分のデータを入力し、送信終了アクノリッジ信号を受信するまで待つ（Ｓ８９、Ｓ９０）。
　送信終了アクノリッジ信号を受信したら、パワーホールド要求があるかどうかをチェックし、要求があれば新ＣＰＵレンズフラグＦＣＰＵを立ててリターンする（Ｓ９１、　Ｓ９５）。
　要求がなければ、クロックを要求し、所定のコードを送信して、受信アクノリッジ信号を受信するまで待ってから新ＣＰＵレンズフラグＦＣＰＵを立ててリターンする（Ｓ９２〜Ｓ９５）。
［レンズＣＰＵのメインルーチン］
　次に、レンズＣＰＵ３０のメイン動作について、第８図に示したフローチャートを参照して説明する。
　レンズＣＰＵ３０は、表示用ＣＰＵ１１によりＣｏｎｔ接点を介して電力供給を受け、Ｃｏｎｔ接点が“Ｈ”レベルになった後に、ＲＥＳ端子が“Ｌ”レベルに変わってリセットが解除されることによって起動する。
　先ずレンズＣＰＵ３０は、すべての割込みを禁止した後にイニシャライズを行なう（Ｓ１００、Ｓ１０１）。
　イニシャライズ終了後レンズインタフェース４１から旧通信終了信号が出力されているかどうか（ＫＡＦＥＮＤ“信号が“Ｌ”レベルかどうか）をチェックし、旧通信終了信号が出力されていればストップフラグＦＳＴＯＰを立てて、レンズＣＰＵ割込み処理に入る（Ｓ１０２、Ｓ１０３）。
　旧通信終了信号が出力されていなければ、旧通信中なので、各スイッチの状態を入力してＲＡＭにメモリし、所定の演算を順に実行する（Ｓ１０４、Ｓ１０５）。この間に、カメラボディ１からのクロックにより初期値データがハード的に、レンズインタフェース４１内のシフトレジスタに並列ロードされ、順にシフトされて、ＤＡＴＡ端子からシリアルに出力される。
　レンズＣＰＵ３０は、所定の演算が終了する毎に、演算結果（演算データ）をレンズインタフェース４１に出力する。レンズインタフェース４１に出力された演算データは、初期値データの後に、ハード的にシフトレジスタにロードされ、順番にＤＡＴＡ端子から表示用ＣＰＵ１１に転送される。
　所定の演算データの出力を終えると、旧通信完了信号が出力されるのを待つ（ステップＳ１０７）。この間に、レンズインタフェース４１に転送された演算データが表示用ＣＰＵ１１に転送され、さらに、リアコンバータが装着されているときには、リアコンバータから３バイト分のデータが表示用ＣＰＵ１１に転送される。
　３バイトの初期データ、１３バイトの演算データおよび３バイトのリアコンバータデータの計１９バイト分のデータ転送が終了すると、インタフェース４１（図示しないＫＡＦＥＮＤ信号発生回路）が旧通信終了信号を出力する。
　旧通信完了信号を受けた後に、表示用ＣＰＵ１１から新旧切換え信号を入力すると、アクノリッジ信号を出力する（Ｓ１０８、Ｓ１０９）。これにより、新通信体制に移行する。
　先ずステップＳ１１０において、Ｐ２３〜Ｐ２９端子レベルおよびズームコードを入力し、各スイッチ状態等を内部ＲＡＭにメモリする（Ｓ１１１）。
　次に、パワーズームスイッチＳＷＰＺ１をチェックして、パワーズームモードか、マニュアルズームモードかを判断する。このスイッチがオフしていればマニュアルズームモードなので、ステップＳ１１３においてパワーホールド要求ビットを降ろしてＰＺモータ３４への給電を断ってからからステップＳ１１６に進む。
　パワーズームスイッチＳＷＰＺ１がオンしていればパワーズームモードなので、Ｐ２１〜Ｐ２９端子のレベルを入力してズーミングに関するスイッチ状態をチェックする（Ｓ１１４）。すべてのＰ２１〜Ｐ２９端子が“Ｈ”レベルのときには、パワーズームに関する操作が何もされていないので、パワーホールド要求ビットを「０」にしてステップＳ１１６に進む。
　Ｐ２１〜Ｐ２９端子のいずれかの端子が“Ｌ”レベルのときには、その端子に接続されたパワーズームに関するスイッチが操作されているので、パワーホールド要求ビットを「１」に設定してＰＺモータ３４への給電を可能にしてステップＳ１１６に進む（Ｓ１１５）。
　ステップＳ１１６では、像倍率一定フラグＦＣＯＮＳＴを一旦降ろしてステップＳ１１７に進む。この像倍率一定フラグＦＣＯＮＳＴは、像倍率一定モードが設定されているか否かを識別するフラグである。なお、本実施例における像倍率一定モードとは、ある焦点距離ｆで被写体距離Ｄの被写体に合焦させたときに、合焦被写体距離がΔＤ変化しても、Ｄ／ｆ＝（Ｄ＋ΔＤ）／ｆ´の関係が維持されるように制御パワーズーミングするモードである。　ステップＳ１１７において、パワーズームスイッチＳＷＰＺ２がオンしているかどうかをチェックし、オンしていれば像倍率一定フラグＦＣＯＮＳＴを立ててステップＳ１１９に進み、オフしていれば像倍率一定フラグＦＣＯＮＳＴを立てないでステップＳ１１９に進む。
　ステップＳ１１９においてシリアル割込みを許可し、ステップＳ１２０〜Ｓ１２２において、１２５ｍｓで間欠的にステップＳ１１０〜Ｓ１２２のルーチンを実行するタイマー処理をセットして、ストップする。このタイマー処理のセットによりレンズＣＰＵ３０は、１２５ｍｓ間隔でステップＳ１１０〜Ｓ１２２の処理を実行する。
［レンズＣＰＵのシリアル割込禁止処理］
　第８Ａ〜８Ｃ図は、カメラボディ１の表示用ＣＰＵ１１からシリアル通信の割込みがあったときの新通信処理動作に関するフローチャートである。表示用ＣＰＵ１１がＤＡＴＡ端子を“Ｌ”レベルに落すと、レンズＣＰＵ３０はこの新通信に入る。
　レンズＣＰＵ３０は、先ず、１０ｍｓタイマーおよび１２５ｍｓタイマーによるタイマー割込みと、シリアル割込みを禁止する（Ｓ１３０、Ｓ１３１）。なお、１０ｍｓタイマー割込み処理とは、シリアル割込みが許可された際に、１０ｍｓ間隔でパワーズームの制御を継続するパワーズーム制御処理である。
　次に、レンズＣＰＵ３０からクロックを出力するＳＣＫ出力モードに切換えて、シリアルクロックをＳＣＫ端子に出力する（Ｓ１３２）。このズームレンズ２から出力するクロックに同期して、カメラボディ１との間で通信を行なう。
　ステップＳ１３３において、表示用ＣＰＵ１１からの命令コードを入力する。そして、入力した命令コードの２／４コードが正しいかどうかをチェックする（Ｓ１３４）。ここで２／４コードとは、命令コードの最初の４ビットのことであり、この４ビットは、必ず２ビットが“Ｈ”レベル、２ビットが“Ｌ”レベルとなるように設定されている。
　この条件に該当していない場合には、命令コードの入力エラーとして何も処理を実行せずに、ステップＳ１６７にジャンプする。そして、カメラボディ１側からクロックを入力するＳＣＫ入力モードに切換え、１０ｍｓタイマー割込み、１２５ｍｓタイマー割込およびシリアル割込みを許可し、さらにストップフラグＦＳＴＯＰが下りているときにはそのままリターンし、立っている場合は降ろして、第７図のレンズＣＰＵメインルーチンのステップＳ１２０にリターンする（Ｓ１６８〜Ｓ１７１）。
　２／４コードが適正な場合には、ステップＳ１３５において、命令コードがデータ要求信号であるかどうかを判断する。データ要求信号であれば受信アクノリッジ信号を出力し、要求されたデータを演算し、またはコード板、スイッチ等のデータを入力して内部ＲＡＭにメモリする（Ｓ１３６〜Ｓ１３８）。
　そして、このメモリしたデータを、ＳＣＫクロックに同期させてシリアルに出力し、出力が終了したら出力終了アクノリッジ信号を出力してデータ転送を終了し、ステップＳ１６７に進む（Ｓ１３８−２、Ｓ１３９、Ｓ１４０）。
　また、最初の４ビットコードがデータ要求信号でなかった場合には、コード９０Ｈ〜９３Ｈのいずれであるか、スリープコードまたはテストコードであるかをチェックする（Ｓ１４１、Ｓ１４７、Ｓ１５２、Ｓ１５７、Ｓ１６０、Ｓ１６５）。
　コード９０Ｈ（レンズ収納）と判断したときには、先ず受信アクノリッジ信号を表示用ＣＰＵ１１に送信して表示用ＣＰＵ１１に受信準備をさせ、その後ズームコード板３７から現焦点距離情報を入力して表示用ＣＰＵ１１に送信し、送信終了後、送信終了アクノリッジ信号を送信してレンズ収納駆動処理を行なってからステップＳ１６７に進む（Ｓ１４２〜Ｓ１４５）。
　コード９１Ｈ（レンズ復帰）と判断したときには、先ず受信アクノリッジ信号を表示用ＣＰＵ１１に送信し、表示用ＣＰＵ１１から収納前焦点距離情報を入力し、入力終了後に受信アクノリッジ信号を送信してデータの受信を終了する（Ｓ１４８〜Ｓ１５０）。そして、受信した収納前焦点距離データに基づいてＰＺモータ３４を駆動して焦点レンズを収納前焦点距離に移動してからステップＳ１６７に進む（Ｓ１５１）。
　コード９２Ｈ（パワーホールドオン）と判断したときには、表示用ＣＰＵ１１に対して受信アクノリッジ信号を出力してからパワーホールド要求ビット（ＰＨｂｉｔ）を「１」にセットし、１０ｍｓタイマーをスタートさせて１０ｍｓタイマー割込みを許可してからステップＳ１６７に進む（Ｓ１５２〜Ｓ１５６）。
　コード９３Ｈ（パワーホールドオフ）と判断したときには、アクノリッジ信号を送信してからパワーホールドビットを「０」にセットし、ステップＳ１６７に進む（Ｓ１５７〜Ｓ１５９）。
　以上のいずれのコードでもなかったときには、スリープコードＣ１Ｈかどうかをチェックし、スリープコードＣ１Ｈであれば受信アクノリッジ信号を出力し、ＳＣＫ入力モードに切換え（ＣＥ端子を“Ｌ”レベルに立ち下げ）、ストップ信号発生回路をセットしてストップし、スリープする（Ｓ１６０〜Ｓ１６４）。
　スリープコードＣ１Ｈでないときは、テストコードＦＸＨかどうかをチェックする（Ｓ１６５）。テストコードＦＸＨであれば、ステップＳ１６６に進んでテスト動作を行なってからステップＳ１６７に進み、テストコードＦＸＨでなければステップＳ１６６をスキップしてステップＳ１６７に進む。このテストモードは、通常の撮影時に使用されるものではなく、レンズの組立時、あるいはその後の調整等において、撮影レンズをカメラボディにマウントしない状態で所定のデータ通信を可能として所定のテストを行なうためのモードである。
　ステップＳ１６７に進むと、前述の通り、ＳＣＫ入力モードに切換え、シリアル割込みを許可し、さらに１０ｍｓ、１２５ｍｓタイマー割込みを許可し、さらにストップフラグＦＳＴＯＰが立っていればストップフラグＦＳＴＯＰを降ろしてから第７図のレンズＣＰＵメインルーチンのステップＳ１２０に戻り、ストップフラグＦＳＴＯＰが立っていなければそのままリターンする（Ｓ１６８〜Ｓ１７１）。
［レンズＣＰＵのデータセット動作］
　次に、ズーミングに伴って変化するレンズデータの選択動作について、第９図に示したフローチャートに基づいて説明する。このフローチャートには、第８Ａ図のステップＳ１３７から入る。
　先ず、基本データアドレスをセットし、ズームコード板３７からズームコードを入力する（Ｓ２０１、Ｓ２０３）。
　次に、カメラボディ１から要求されたデータが固定データであるかどうかをチェックし、固定データでない場合には、固定データメモリ群の対応するアドレスにメモリされたアドレスデータを入力し、このアドレスデータに、先に入力したズームコードデータを加算して、その和のアドレスにメモリされたレンズデータを入力してからステップＳ１３８にリターンする（Ｓ２０５、Ｓ２０７、Ｓ２０９、Ｓ２１１）。なお、上記アドレスデータおよびズームコードデータは、これらの和が、実際の焦点距離に対応する可変レンズデータがメモリされているアドレスとなるデータである。
　また、カメラボディ１から要求されたデータが固定データであったときには、基本データ群の所定のアドレスに格納されたレンズデータを入力してリターンする。
　以上の動作により、カメラボディ１から要求されたレンズデータがＲＯＭ３０ａから読出され、ステップＳ１３８においてＲＡＭ３０ｂに書込まれ、その後の処理により、カメラボディ１に転送される。
　要するに本実施例では、複数の条件または要件毎に決まるレンズデータを、一群のレンズデータとしてメモリできる固定データメモリエリアを設け、上記各条件等に対応するレンズデータをメモリするアドレスをそれぞれ特定してある。そして上記複数のレンズデータ群のうち、焦点距離によって変化しないレンズデータは、固定のレンズデータとして上記それぞれ対応するアドレスにメモリしてある。
　一方、焦点距離に応じて変化するレンズデータは、すべて、別の可変データメモリエリアの特定のアドレスにメモリしてある。そして、固定データメモリエリアの空アドレスには、特定のアドレスデータをメモリしてあり、この特定アドレスデータに、ズームコード板３７から読み込んだデータを加算することにより、そのアドレスに入るべき可変レンズデータがメモリされているアドレスデータが得られるようにしてある。
　このように本実施例では、焦点距離ゾーン毎に異なるレンズデータはすべてメモリしてあるが、各焦点距離ゾーンで共通（同一）の固定レンズデータは１組しかメモリしていないので、メモリ容量が少なくてすみ、レンズＣＰＵ３０の内部ＲＯＭ３０ａにすべてメモリすることも可能である。
　なお、本実施例では、特定のアドレスデータにズームコードデータを加算することにより可変レンズデータのアドレスを求める構成にしたが、加算に代えて減算、あるいは乗除算するなどの構成にしても勿論よい。
　また、本実施例においては、焦点距離に応じて変化するレンズデータに適用した構成について説明したが、撮影距離により変化するレンズデータに関しても適用できる。
「発明の効果」
　以上の通り本発明は、撮影レンズ固有のレンズデータを、撮影条件、例えば焦点距離の変化にかかわらず変化しない固定レンズデータは１組だけ固定データメモリエリアにメモリし、撮影条件の変化に対応して変化する可変レンズデータは、それぞれを他の可変データメモリエリアにメモリしたので、撮影条件の変化に応じてその撮影条件毎にすべてのレンズデータをメモリする場合に比してメモリ容量が少なくて済む。
【図面の簡単な説明】
　第１図は、本発明の構成を示したブロック図、
　第２図は、本発明を適用したカメラシステムの概要を示すブロック図、
　第３図は、同カメラシステムのカメラボディ側の主要回路構成を示すブロック図、
　第４図は、同カメラシステムの撮影レンズ側の主要回路構成を示すブロック図、
　第５図は、同カメラボディ、撮影レンズ間の通信動作を示すタイミングチャート、
　第６Ａ図および第６Ｂ図は、カメラボディ側の通信動作に関するフローチャート、
　第７図は、レンズＣＰＵのメイン動作に関するフローチャート、
　第８Ａ図、第８Ｂ図および第８Ｃ図は、撮影レンズ側の通信動作に関するフローチャート、
　第９図は、本実施例のデータ読み込み（レンズデータ選択）に関する動作フローチャートである。
　１…カメラボディ、２…ズームレンズ、１１…表示用ＣＰＵ、３０…レンズＣＰＵ、３０ａ…ＲＯＭ、３０ｂ…ＲＡＭ、５１…ズームレンズ、５３…ＲＯＭ、５５…焦点距離検出手段、５７…読出し手段、５９…ズーム機構、６１…カメラボディ
【図面】